(57)【要約】【課題】この発明は、コストの上昇や溶液漏れを招くことなく、噴霧試験に使用される噴霧溶液のｐＨ、濃度の変動を防止すること、および低温でも噴霧溶液の凍結を防止することができる噴霧溶液の溶液補給回収機構を設けた複合サイクル試験装置を実現することを目的とする。【解決手段】この発明は、試験槽内に設置した溶液溜めの噴霧溶液を噴霧ノズルでミスト状にして被試験体に接触させる噴霧試験の実施時に、前記試験槽外に設置した溶液タンクから噴霧溶液を前記溶液溜めに補給し、前記噴霧試験の終了時に前記溶液タンクに溶液溜め内の噴霧溶液を回収する溶液補給回収機構を設けたことを特徴とする。【選択図】図１
2011196892.tif 000002
【特許請求の範囲】
【請求項１】
試験槽内に設置した溶液溜めの噴霧溶液を噴霧ノズルでミスト状にして被試験体に接触させる噴霧試験の実施時に、
前記試験槽外に設置した溶液タンクから噴霧溶液を前記溶液溜めに補給し、
前記噴霧試験の終了時に前記溶液タンクに溶液溜め内の噴霧溶液を回収する溶液補給回収機構を設けたことを特徴とする複合サイクル試験装置。
【請求項２】
前記溶液補給回収機構に水位調整器を設け、
前記溶液溜めの噴霧溶液の水位を目標水位に保つように前記試験槽外に設置した溶液タンクの噴霧溶液を前記水位調整器により調整して前記溶液溜めに自動で補給することを特徴とする請求項１に記載の複合サイクル試験装置。
【請求項３】
前記溶液補給回収機構は、
前記溶液タンクの上部に前記水位調整器を搭載し、
前記溶液タンクの最下部に前記水位調整器の目標水位よりも上部に連通する溶液供給管を設け、
前記溶液供給管の途中に前記溶液タンクの噴霧溶液を前記水位調整器に圧送する溶液供給ポンプを配置し、
前記水位調整器の目標水位と同じ高さに一端側を開口して他端側を前記溶液タンクに開口する水位調整管を設け、
前記水位調整器の最下部を前記溶液タンクに連通する溶液戻り孔を設け、
前記水位調整器の下部と前記溶液溜めの最下部とを連通する溶液補給回収管を備えたことを特徴とする請求項１または請求項２に記載の複合サイクル試験装置。
【発明の詳細な説明】
【技術分野】
【０００１】
この発明は複合サイクル試験装置に係り、特に、噴霧試験、乾燥試験、湿潤試験等の複合サイクル試験を行う複合サイクル試験装置において、噴霧試験を行う際に、試験槽内の溶液溜めに試験槽外の溶液タンクから噴霧溶液を補給し、噴霧試験を終了して噴霧試験以外の試験条件（乾燥試験、湿潤試験）を行う際に、溶液溜めに残っている噴霧溶液を試験槽外の溶液タンクに回収する溶液補給回収機構を設けた複合サイクル試験装置に関する。
【背景技術】
【０００２】
装置の部品や材料などの被試験体の腐食試験を行う装置には、噴霧溶液をミスト状にして被試験体に接触させる噴霧試験を単独で行う噴霧試験装置（特許文献１、２）や、噴霧試験、乾燥試験、湿潤試験、低温試験、浸漬試験などを組み合わせた複合サイクル試験を行う複合サイクル試験装置（特許文献３〜５）がある。複合サイクル試験などの複数の試験条件を組み合わせて行う場合に、噴霧試験以外の他の試験条件で溶液溜めに残されている噴霧溶液が、低温（−２０℃）〜高温（１５０℃）の雰囲気に晒されて、凍結・蒸発により、ｐＨ、濃度が変動することがある。
【０００３】
図２に示すように、従来の複合サイクル試験装置１０１は、噴霧試験を行う際に、試験槽１０２外の圧縮空気供給源１０３から空気供給管１０４により供給される圧縮空気を噴霧ノズル１０５で噴霧塔１０６内に噴射することで、試験槽１０２内の溶液溜め１０７の噴霧溶液を溶液供給管１０８により吸引して噴霧塔１０６内に噴射させ、溶液ミストを生成する。複合サイクル試験装置１０１は、生成された溶液ミストを噴霧塔１０６の頂部から試験槽１０２内に自然落下させ、被試験体１０９に接触させることで噴霧試験を行う。
【先行技術文献】
【特許文献】
【０００４】
【特許文献１】特許第３１８８２６２号公報
【特許文献２】特許第３２６１６５５号公報
【特許文献３】特公平２−４９４５７号公報
【特許文献４】特公平３−４２７８４号公報
【特許文献５】特公平３−４２７８５号公報
【発明の開示】
【発明が解決しようとする課題】
【０００５】
この発明は、コストの上昇や溶液漏れを招くことなく、噴霧試験に使用される噴霧溶液のｐＨ、濃度の変動を防止すること、及び低温でも溶液の凍結を防止することができる溶液補給回収機構を設けた複合サイクル試験装置を実現することを目的とする。
【課題を解決するための手段】
【０００６】
この発明の請求項１は、試験槽内に設置した溶液溜めの噴霧溶液を噴霧ノズルでミスト状にして被試験体に接触させる噴霧試験の実施時に、前記試験槽外に設置した溶液タンクから噴霧溶液を前記溶液溜めに補給し、前記噴霧試験の終了時に前記溶液タンクに溶液溜め内の噴霧溶液を回収する溶液補給回収機構を設けたことを特徴とする。
【０００７】
この発明の請求項２は、前記溶液補給回収機構に水位調整器を設け、前記溶液溜めの噴霧溶液の水位を目標水位に保つように前記試験槽外に設置した溶液タンクの噴霧溶液を前記水位調整器により調整して前記溶液溜めに自動で補給することを特徴とする。
【０００８】
この発明の請求項３は、前記溶液補給回収機構は、前記溶液タンクの上部に前記水位調整器を搭載し、前記溶液タンクの最下部に前記水位調整器の目標水位よりも上部に連通する溶液供給管を設け、前記溶液供給管の途中に前記溶液タンクの噴霧溶液を前記水位調整器に圧送する溶液供給ポンプを配置し、前記水位調整器の目標水位と同じ高さに一端側を開口して他端側を前記溶液タンクに開口する水位調整管を設け、前記水位調整器の最下部を前記溶液タンクに連通する溶液戻り孔を設け、前記水位調整器の下部と前記溶液溜めの最下部とを連通する溶液補給回収管を備えたことを特徴とする。
【発明の効果】
【０００９】
この発明の複合サイクル試験装置に設けた溶液補給回収機構は、溶液供給ポンプの溶液吐出量と水位調整管および溶液戻り孔の溶液戻り量とのバランスで、溶液溜めの噴霧溶液を目標水位に保つことができるので、複数のセンサ・ポンプを必要とせず、構造を簡単にすることができ、また、開口部やシール構造を設ける必要がないので、溶液漏れを生じることがない。これにより、この複合サイクル試験装置は、コストの上昇や溶液漏れを招くことなく、噴霧試験の実施時に溶液溜めに噴霧溶液を補給し、噴霧試験の終了時に溶液溜めに残っている噴霧溶液を回収することができるため、噴霧試験に使用される噴霧溶液のｐＨ、濃度の変動を防止すること、及び低温でも溶液の凍結を防止することができ、均一な試験結果を得ることができ、また、凍結等による機器の破損を防止することができる。
【図面の簡単な説明】
【００１０】
【図１】溶液補給回収機構を設けた複合サイクル試験装置の概略構成図である。（実施例）
【図２】複合サイクル試験装置の概略構成図である。（従来例）
【発明を実施するための形態】
【００１１】
以下、図面に基づいて、この発明の実施例を説明する。
【実施例】
【００１２】
図１は、この発明の実施例を示すものである。図１において、１は複合サイクル試験装置である。複合サイクル試験装置１は、試験槽２内に溶液溜め３を設置し、溶液溜め３上部に搭載した噴霧塔４に噴霧ノズル５を設けている。噴霧ノズル５には、試験槽２外の圧縮空気供給源６から空気供給管７が連絡され、溶液溜め３から溶液供給管８が連絡されている。
【００１３】
複合サイクル試験装置１は、噴霧試験を行う際に、噴霧ノズル５から空気供給管７により供給される圧縮空気を噴射することで、溶液溜め３の噴霧溶液を溶液供給管８により吸引して噴霧塔４内に噴射させてミスト状にし、溶液ミストを生成する。複合サイクル試験装置１は、生成された溶液ミストを噴霧塔４の頂部から試験槽２内に自然落下させ、被試験体９に接触させることで噴霧試験を行う。
【００１４】
複合サイクル試験装置１は、溶液溜め３の噴霧溶液を自動的に補給・回収する溶液自動補給回収機構１０を設けている。噴霧溶液の溶液補給回収機構１０は、噴霧溶液を保存する溶液タンク１１と、溶液溜め３の噴霧溶液の水位を目標水位Ｌに調整する水位調整器１２とを備え、溶液タンク１１の上部に水位調整器１２を搭載している。溶液タンク１１は、水位調整器１２に溶液供給管１３で連通している。溶液供給管１３は、溶液タンク１１の最下部に一端側を開口し、他端側を水位調整器１２の目標水位Ｌよりも上部に開口している。溶液供給管１３の途中には、溶液タンク１１の噴霧溶液を水位調整器１２に圧送する溶液供給ポンプ１４を配置している。
【００１５】
水位調整器１２には、噴霧溶液を目標水位Ｌに保つ水位調整管１５を設けている。水位調整管１５は、水位調整器１２の目標水位Ｌと同じ高さに一端側を開口し、他端側を溶液タンク１１の上部に開口している。また、水位調整器１２には、溶液タンク１１に連通する溶液戻り孔１６を設けている。溶液戻り孔１６は、水位調整器１２の最下部に、溶液タンク１１の上部に開口するように設けている。さらに、水位調整器１２には、溶液溜め３に連通する溶液補給回収管１７を設けている。溶液補給回収管１７は、水位調整器１２の下部に一端側を開口し、他端側を溶液溜め３の最下部に開口することで、水位調整器１２と溶液溜め３とを連通している。
【００１６】
次に作用を説明する。
複合サイクル試験装置１に設けた溶液補給回収機構１０は、複合サイクル試験装置１によって噴霧試験を行う際に、溶液供給ポンプ１４を駆動し、溶液タンク１１の噴霧溶液を溶液供給管１３で水位調整器１２に圧送する。水位調整器１２の噴霧溶液は、溶液供給ポンプ１４による溶液吐出量と水位調整管１５および溶液戻り孔１６による溶液タンク１１への溶液戻り量とのバランスで、目標水位Ｌに保つことができる。目標水位Ｌに保たれた水位調整器１２の噴霧溶液は、溶液補給回収管１７で水位調整器１２に補給される。これにより、溶液補給回収機構１０は、複合サイクル試験装置１の溶液溜め３の噴霧溶液を、目標水位Ｌに保つことができる。
【００１７】
また、溶液補給回収機構１０は、複合サイクル試験装置１による噴霧試験を終了して噴霧試験以外の試験条件（乾燥試験、湿潤試験など）を行う際に、溶液供給ポンプ１４を停止し、水位調整器１２への噴霧溶液の圧送を停止する。水位調整器１２の噴霧溶液は、溶液戻り孔１６で溶液タンク１１に戻される。溶液溜め３の噴霧溶液は、水位調整器１２の噴霧溶液の水位の低下に伴い、最下部に連通された溶液補給回収管１７で水位調整器１２の下部に戻され、さらに、溶液戻り孔１６で溶液タンク１１に戻される。これにより、溶液補給回収機構１０は、複合サイクル試験装置１の溶液溜め３に残っている噴霧溶液を、水位調整器１２を介して試験槽２外の溶液タンク１１に回収することができる。
【００１８】
このように、複合サイクル試験装置１に設けた溶液補給回収機構１０は、溶液供給ポンプ１４の溶液吐出量と水位調整管１５および溶液戻り孔１６の溶液戻り量とのバランスで、溶液溜め３の噴霧溶液を目標水位Ｌに保つことができ、１台の溶液供給ポンプ１４で噴霧溶液の補給・回収を行うことができるので、構造を簡単にすることができる。
【００１９】
これにより、この複合サイクル試験装置１は、コストの上昇や溶液漏れを招くことなく、噴霧試験の実施時に溶液溜め３に噴霧溶液を補給し、噴霧試験の終了時に溶液溜め３に残っている噴霧溶液を回収することができる。このため、この複合サイクル試験装置１は、噴霧試験に使用される噴霧溶液のｐＨ、濃度の変動を防止すること、及び低温（−２０℃）でも溶液の凍結を防止することができ、均一な試験結果を得ることができ、また、凍結等による機器の破損を防止することができる。
【産業上の利用可能性】
【００２０】
この発明は、簡単な構造で噴霧試験に使用される噴霧溶液を補給・回収することができるものであり、複合サイクル試験を行う複合サイクル試験装置だけでなく、噴霧試験を単独で行う噴霧試験装置にも適用することができる。
【符号の説明】
【００２１】
１  複合サイクル試験装置
２  試験槽
３  溶液溜め
４  噴霧塔
５  噴霧ノズル
１０  溶液補給回収機構
１１  溶液タンク
１２  水位調整器
１３  溶液供給管
１４  溶液供給ポンプ
１５  水位調整管
１６  溶液戻り孔
１７  溶液補給回収管
【図１】
2011196892.tif 000003
【図２】
2011196892.tif 000004
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
試験槽内に設置した溶液溜めの噴霧溶液を噴霧ノズルでミスト状にして被試験体に接触させる噴霧試験の実施時に、
試験槽外に設置した溶液タンクから噴霧溶液を前記溶液溜めに補給し、
前記噴霧試験の終了時に前記溶液タンクに前記溶液溜め内の噴霧溶液を回収する溶液補給回収機構を設けた複合サイクル試験装置において、
前記溶液補給回収機構は、
前記溶液タンクの上部に水位調整器を搭載し、
前記溶液タンクの最下部に前記水位調整器の目標水位よりも上部に連通する溶液供給管を設け、
前記溶液供給管の途中に前記溶液タンクの噴霧溶液を前記水位調整器に圧送する溶液供給ポンプを配置し、
前記水位調整器の目標水位と同じ高さに一端側を開口して他端側を前記溶液タンクに開口する水位調整管を設け、
前記水位調整器の最下部を前記溶液タンクに連通する溶液戻り孔を設け、
前記水位調整器の下部と前記溶液溜めの最下部とを連通する溶液補給回収管を備えたことを特徴とする複合サイクル試験装置。